(57)【特許請求の範囲】
【請求項１】
カメラの電源スイッチと、
カメラボディ内の沈胴位置からテレ端位置までの範囲内で移動自在に設けられた可変焦点レンズと、
前記可変焦点レンズを前記範囲内で移動させる駆動手段と、
撮影場所が屋内なのか、屋外なのかを検出する検出手段と、
前記電源スイッチが操作されると、前記検出手段の検出情報に基づいて、屋内であると検出された場合には、前記可変焦点レンズの初期位置がワイド側に位置するように前記駆動手段を制御すると共に、屋外であると検出された場合には、前記可変焦点レンズの初期位置が前記屋内のワイド側の位置よりもテレ側に位置するように前記駆動手段を制御する制御手段と、
から成ることを特徴とするカメラ。
【請求項２】
前記検出手段は、前記カメラのＡＦ装置から出力される被写体との距離を取り込み、この距離が所定距離未満の場合には屋内であると検出すると共に、所定距離以上の場合には屋外であると検出することを特徴とする請求項１記載のカメラ。
【請求項３】
前記所定距離は、１．５ｍ〜２．５ｍであることを特徴とする請求項２記載のカメラ。
【請求項４】
前記検出手段は、前記カメラに設けられたＡＥ装置から出力される被写体の輝度を取り込み、この輝度が所定輝度未満の場合には屋内であると検出すると共に、所定輝度以上の場合には屋外があると検出することを特徴とする請求項１記載のカメラ。
【請求項５】
前記所定輝度は、Ｌｖ９〜Ｌｖ１１であることを特徴とする請求項４記載のカメラ。
【請求項６】
前記検出手段は、前記カメラに設けられた色温度センサから出力される被写体の色温度を取り込み、この色温度が所定温度未満の場合には屋内であると検出すると共に、所定温度以上の場合には屋外であると検出することを特徴とする請求項１記載のカメラ。
【請求項７】
前記所定温度は、４５００°Ｋ〜５５００°Ｋであることを特徴とする請求項６記載のカメラ。
【請求項８】
前記検出手段は、前記カメラに設けられたＡＥ装置の受光素子の出力信号に、人工光源のフリッカーによる変動成分が存在するか否かを判断し、存在すると判断した時には屋内であると判断することを特徴とする請求項１記載のカメラ。
【請求項９】
撮影終了直後に計時がスタートされるタイマー手段が設けられ、前記制御手段は、該タイマー手段で計時された時間が一定時間を経過すると、前記駆動手段を制御して、前記可変焦点レンズを前記初期位置に復帰移動させることを特徴とする請求項１記載のカメラ。
【請求項１０】
前記検出手段は、
前記カメラのＡＦ装置から出力される被写体との距離を取り込み、この距離が所定距離未満の場合には屋内であると検出すると共に、所定距離以上の場合には屋外であると検出する第１の検出手段と、
前記カメラに設けられたＡＥ装置から出力される被写体の輝度を取り込み、この輝度が所定輝度未満の場合には屋内であると検出すると共に、所定輝度以上の場合には屋外があると検出する第２の検出手段と、
前記カメラに設けられた色温度センサから出力される被写体の色温度を取り込み、この色温度が所定温度未満の場合には屋内であると検出すると共に、所定温度以上の場合には屋外であると検出する第３の検出手段と、から構成され、
前記制御手段は、前記第１、第２、第３の検出手段の３つの検出情報に基づいて、屋内か屋外かを多数決により決定し、屋内であると決定した場合には、前記可変焦点レンズの初期位置がワイド側に位置するように前記駆動手段を制御すると共に、屋外であると決定した場合には、前記可変焦点レンズの初期位置が前記屋内のワイド側の位置よりもテレ側に位置するように前記駆動手段を制御することを特徴とする請求項１記載のカメラ。
【発明の詳細な説明】
【０００１】
【発明の属する技術分野】
本発明は、カメラに採用される可変焦点レンズ装置に係り、特に電源スイッチのＯＮ操作で可変焦点レンズがカメラボディ内の沈胴位置から初期位置に移動し、変倍スイッチの操作で可変焦点レンズが初期位置から所望の方向に移動するカメラの可変焦点レンズ装置に関する。
【０００２】
【従来の技術】
従来、この種のカメラの可変焦点レンズ装置は図１１に示すように、カメラ１の電源スイッチ２をＯＮ操作すると、可変焦点レンズ３の鏡筒４がカメラボディ内の沈胴位置からワイド撮影側に繰り出して図中二点鎖線Ａで示す初期位置（ワイド端位置）で停止する。
【０００３】
そして、カメラの変倍スイッチ５の操作で、前記鏡筒４はテレ側方向に移動され、図中二点鎖線Ｂで示すテレ端近傍位置、若しくは図中二点鎖線Ｃで示すテレ端位置等の所望の焦点距離位置に位置される。ここで、カメラ１は、シャッターボタン６のレリーズ操作によって撮影が行われる。
また、前記可変焦点レンズ装置は、電源スイッチ２をＯＦＦ操作すると鏡筒４が沈胴位置に退避移動されてカメラボディ内に格納される。
【０００４】
【発明が解決しようとする課題】
しかしながら、従来のカメラの可変焦点レンズ装置は、電源スイッチ２のＯＮ操作直後の可変焦点レンズ３の初期位置がワイド端位置に設定されているので、被写体に最適な焦点距離で被写体を迅速に撮影することができないという場合がある。屋内で撮影する場合には、一般的にワイド側で撮影する傾向にあり、屋外で撮影する場合には一般的にワイド側よりもテレ側で撮影する傾向にある。よって、従来のカメラは、可変焦点レンズが初期位置に移動したのち、屋内か屋外かによって適正な焦点距離位置に可変焦点レンズを更に移動させなければならないので、撮影に手間がかかるという欠点がある。
【０００５】
本発明はこのような事情に鑑みてなされたもので、電源スイッチの操作直後に被写体を最適な焦点距離で迅速に撮影することができるカメラの可変焦点レンズ装置を提供することを目的とする。
【０００６】
【課題を解決する為の手段】
本発明は、前記目的を達成する為に、カメラの電源スイッチと、カメラボディ内の沈胴位置からテレ端位置までの範囲内で移動自在に設けられた可変焦点レンズと、前記可変焦点レンズを前記範囲内で移動させる駆動手段と、撮影場所が屋内なのか、屋外なのかを検出する検出手段と、前記電源スイッチが操作されると、前記検出手段の検出情報に基づいて、屋内であると検出された場合には、前記可変焦点レンズの初期位置がワイド側に位置するように前記駆動手段を制御すると共に、屋外であると検出された場合には、前記可変焦点レンズの初期位置が前記屋内のワイド側の位置よりもテレ側に位置するように前記駆動手段を制御する制御手段と、から成ることを特徴としている。
【０００７】
本発明によれば、電源スイッチが操作されると、検出手段が検出した情報に基づき、検出手段が屋内であると検出した場合には、可変焦点レンズの初期位置がワイド側に位置する。また、検出手段が屋外であると検出した場合には、可変焦点レンズの初期位置が前記屋内のワイド側の位置よりもテレ側に位置する。これにより、本発明は、カメラの電源スイッチをＯＮした直後に、屋内の被写体、及び屋外の被写体を最適な焦点距離で迅速に撮影することができる。
【０００８】
請求項２の発明は、検出手段の検出方法として、カメラのＡＦ装置から出力される被写体との距離に、しきい値（所定距離）を設定したもので、所定距離未満の場合には屋内の被写体と検出し、所定距離以上の場合には屋外の被写体と検出する。よって、本発明は、ＡＦ装置から出力される情報を利用するようにしたので、屋内か屋外かを検出手段に検出させるための検出センサを別個に必要としない。
【０００９】
請求項３の発明は、前記所定距離を１．５〜２．５ｍに設定したものである。屋内で撮影する場合には、被写体との距離が一般的に１．５〜２．５ｍの範囲であり、屋外で撮影する場合には一般的に２．５ｍ以上で撮影する傾向にあるからである。
請求項４の発明は、検出手段の検出方法として、カメラのＡＥ装置から出力される被写体の輝度に、しきい値（所定輝度）を設定したもので、所定輝度未満の場合には屋内の被写体と検出し、所定輝度以上の場合には屋外の被写体と検出する。よって、本発明は、ＡＥ装置から出力される情報を利用するようにしたので、屋内か屋外かを検出手段に検出させるための検出センサを別個に必要としない。
【００１０】
請求項５の発明は、前記所定輝度をＬｖ９〜Ｌｖ１１に設定したものである。屋内で撮影する場合には、被写体の輝度が一般的にＬｖ９〜Ｌｖ１１の範囲であり、屋外で撮影する場合には一般的にＬｖ１１以上であるからである。
請求項６の発明は、検出手段の検出方法として、カメラの色温度センサから出力される被写体の色温度に、しきい値（所定輝度）を設定したもので、所定温度未満の場合には屋内の被写体と検出し、所定温度以上の場合には屋外の被写体と検出する。よって、本発明は、色温度センサから出力される情報で検出したので、屋内か屋外かを容易に検出することができる。
【００１１】
請求項７の発明は、前記所定温度を４５００〜５５００°Ｋに設定したものである。屋内で撮影する場合には一般的に、４５００〜５５００°Ｋの範囲であり、屋外で撮影する場合には一般的に５５００°Ｋ以上であるからである。
請求項８記載の発明は、検出手段の検出方法として、カメラに設けられたＡＥ装置の受光素子の出力信号に、人工光源のフリッカーによる変動成分が存在するか否かを判断し、存在すると判断した時には屋内であると判断する。また、存在しないと判断した時には屋外と判断する。
【００１２】
請求項９記載の発明は、タイマー手段が撮影終了後一定時間計時した時に、制御手段が駆動手段を制御して前記可変焦点レンズを前記初期位置に戻すようにしたものである。これにより、本発明では、次の撮影時においても、最適な焦点距離で被写体を迅速に撮影することができる。
請求項１０記載の発明は、被写体との距離により屋内か屋外かを検出する第１の検出手段と、被写体の輝度により屋内か屋外かを検出する第２の検出手段と、被写体の色温度により屋内か屋外かを検出する第３の検出手段とを有し、これらの検出手段の３つの検出情報に基づいて、屋内か屋外かを制御手段が多数決により決定し、屋内であると決定した場合には初期位置をワイド側に、屋外であると決定した場合には初期位置をテレ側の位置に設定するものである。
【００１３】
【発明の実施の形態】
以下添付図面に従って本発明に係るカメラの可変焦点レンズ装置の好ましい実施の形態について詳説する。
図１は、本発明に係るカメラの可変焦点レンズ装置に適用された３５ｍｍフイルムを使用するカメラの一部破断を含む側面図である。
【００１４】
同図に示すカメラ１０の、図中破線で示す可変焦点レンズ１２は図中破線で示す鏡筒１４に保持されている。この鏡筒１４は、図中実線で示すカム筒１６の内部に光軸Ｐ方向に移動自在に配置されると共に、カム筒１６に形成されたカム溝１８に従動ピン２０を介して係合されている。また、鏡筒１４とカム筒１６は、鏡筒１４の外周部に突設された図示しない突起部が、カム筒１６の内周面に光軸Ｐと平行に形成された図示しない溝に摺動自在に係合されることにより、突起部と溝とを介して連結されている。
【００１５】
前記カム筒１６の後端外周部にはギヤ２２が刻設される。このギヤ２２は、変倍モータ２４のギヤ２６に噛合されている。したがって、変倍モータ２４からの駆動力でカム筒１６が光軸Ｐを中心に回動されると、前記鏡筒１４は、前記突起部と前記溝との直進作用によって、カム溝１８に沿って光軸Ｐ方向に前後動する。図中二点鎖線で示す鏡筒１４のＷ端位置は、可変焦点レンズ１２のワイド端の位置であり、Ｔ端位置は、可変焦点レンズ１２のテレ端の位置である。
【００１６】
一方、前記鏡筒１４は、電源が投入されていない時には、カメラボディ１１内に沈胴されており、カメラの電源スイッチ２８のＯＮ操作によって、例えば図中Ａ位置で示す初期位置に電動で繰り出されて停止する。前記鏡筒１４は、カメラ１０の変倍スイッチ３０の操作で、ワイド端方向又はテレ端方向に段階的又は無段階に移動される。
【００１７】
本実施の形態のカメラ１０では、前記初期位置を取得するため、カメラの電源スイッチ２８のＯＮ操作によってＡＦ装置４０（図２参照）が駆動される。初期位置は、この時のＡＦ装置４０で検出された被写体との距離、又は焦点位置に基づいて検出された焦点距離位置に設定される。
図２は、前記可変焦点レンズ１２の駆動制御系を示すブロック図である。前記カメラ１０にはカメラを統括、制御する中央演算装置（ＣＰＵ）３２が内蔵されており、このＣＰＵ３２は電源スイッチ２８及び変倍スイッチ３０からの信号に基づいて変倍モータ２４を駆動制御する。この変倍モータ２４の駆動力によって前記鏡筒１４が移動され、そして、鏡筒１４の移動位置はカメラボディに内蔵された位置センサ３４によって常時検出される。そして、前記ＣＰＵ３２には、前記位置センサ３４から前記鏡筒１４の移動位置を示す信号が出力され、そして、ＣＰＵ３２は位置センサ３４から所定の位置信号が出力された際に変倍モータ２４を停止する。これにより、可変焦点レンズ１２が所望の焦点距離位置に位置される。
【００１８】
また、駆動制御系にはタイマ回路３６が設けられる。タイマ回路３６は、ＣＰＵ３２が信号無入力状態になった時にＣＰＵ３２からタイマスタート信号が出力されて計時しはじめる。そして、前記信号無入力状態が一定時間（例えば、３０秒）経過すると前記ＣＰＵ３２に信号を出力する。ＣＰＵ３２は、タイマ回路３６から前記信号が出力されると、前記変倍モータ２４を駆動制御して可変焦点レンズ１２を図１で示した初期位置Ａに復帰移動させ、同時に電源ＯＦＦさせても良い。この場合、撮影動作を再開する時には、再び電源スイッチ２８をＯＮ操作する。
【００１９】
ところで、前記ＣＰＵ３２には比較器４２が設けられる。この比較器４２には、電源スイッチ２８のＯＮ操作の直後にＡＦ装置４０から被写体との距離を示す信号、又は焦点検出を示す信号が出力される。本実施の形態のＡＦ装置４０は、図１に示すようにカメラ１０の前面に投光部４４と受光部４６とを備えて被写体との距離を検出するアクティブタイプのＡＦ装置であるが、これに限られるものではなく、焦点検出のＡＦ装置を適用しても良い。
【００２０】
ＡＦ装置４０から比較器４２に前記距離を示す信号が出力されると、比較器４２は、その距離が２．５ｍ以下であるか超であるかを比較して、２．５ｍ以下であるとＨ信号を、２．５ｍ超であるとＬ信号をＣＰＵ３２に出力する。
次に、前記の如く構成された可変焦点レンズ装置の作用について説明する。
電源スイッチ２８をＯＮすると、その直後にＡＦ装置４０が駆動されて、ＡＦ装置４０から被写体との距離を示す信号、又は焦点検出を示す信号が比較器４２に出力される。そして、ＣＰＵ３２は、比較器４２から出力されているＨ信号、又はＬ信号を取り込み、この信号に対応した焦点距離位置（初期位置Ａ）に、変倍モータ２４を制御して鏡筒１４を位置させる。
【００２１】
例えば、比較器４２からＨ信号が出力されていると、即ち被写体との距離が２．５ｍ以下であると、ＣＰＵ３２は、屋内の被写体であると検出して、可変焦点レンズ１２の初期位置をワイド側（例えば、３０〜８０ｍｍの可変焦点レンズを有するカメラでは４０ｍｍの位置）に位置させる。
また、比較器４２からＬ信号が出力されていると、即ち被写体との距離が２．５ｍ超であると、ＣＰＵ３２は、屋外の被写体であると検出して、可変焦点レンズ１２の初期位置をテレ端（８０ｍｍの位置）に位置させる。
【００２２】
これにより、本実施の形態は、屋内の被写体、及び屋外の被写体を最適な焦点距離で迅速に撮影することができる。
屋内で撮影する場合には、被写体との距離が一般的に１．５〜２．５ｍの範囲であり、屋外で撮影する場合には一般的に２．５ｍ超で撮影する傾向にあるので、前記比較器４２によるしきい値を２．５ｍとしたが、これに限られるものではなく、任意のしきい値に設定しても良い。
【００２３】
一方、本実施の形態では、ＣＰＵ３２が信号無入力状態になるとタイマスタート信号がタイマ回路３６に出力されてタイマ回路３６が計時しはじめる。そして、前記信号無入力状態が一定時間（例えば、３０秒）経過すると、タイマ回路３６からＣＰＵ３２に信号が出力されて、可変焦点レンズ１２が初期位置Ａに戻る。これにより、本実施の形態では、次の撮影時においても、適正な焦点距離で被写体を迅速に撮影することができる。
【００２４】
図３は、可変焦点レンズ装置の第２の実施の形態を示すブロック図であり、図２に示した第１の実施の形態と同一、若しくは類似の部材については同一の符号を付してその説明は省略する。
同図の可変焦点レンズ装置は、電源スイッチ２８のＯＮ操作で駆動されるＡＥ装置４８を備え、このＡＥ装置４８から出力される被写体の輝度に、しきい値（所定輝度）を設定したもので、所定輝度未満の場合には屋内の被写体と検出し、所定輝度以上の場合には屋外の被写体と検出する。屋内で撮影する場合には、被写体の輝度が一般的にＬｖ９〜１１の範囲であり、屋外で撮影する場合には一般的にＬｖ１１超であるので、比較器４２の前記しきい値はＬｖ１１に設定されている。なお、このしきい値は、任意に設定することができる。
【００２５】
前記可変焦点レンズ装置によれば、電源スイッチ２８をＯＮすると、その直後にＡＥ装置４８が駆動され、ＡＥ装置４８から被写体の輝度信号が比較器４２に出力される。そして、ＣＰＵ３２は、比較器４２から出力されているＨ信号、又はＬ信号を取り込み、この信号に対応した焦点距離位置（初期位置Ａ）に、変倍モータ２４を制御して鏡筒１４を位置させる。比較器４２からＨ信号が出力されていると、即ち被写体の輝度がＬｖ１１以下であると、ＣＰＵ３２は屋内の被写体であると検出して、可変焦点レンズ１２の初期位置をワイド側（４０ｍｍの位置）に位置させる。また、比較器４２からＬ信号が出力されていると、即ち被写体の輝度がＬｖ１１超であると、ＣＰＵ３２は屋外の被写体であると検出して、可変焦点レンズ１２の初期位置をテレ端（８０ｍｍの位置）に位置させる。
【００２６】
これにより、本実施の形態は、屋内の被写体、及び屋外の被写体を最適な焦点距離で迅速に撮影することができる。
図４は、可変焦点レンズ装置の第３の実施の形態を示すブロック図であり、図２に示した第１の実施の形態と同一、若しくは類似の部材については同一の符号を付してその説明は省略する。
【００２７】
同図の可変焦点レンズ装置は、電源スイッチ２８のＯＮ操作で駆動される色温度センサ５０を備え、この色温度センサ５０から出力される被写体の色温度に、しきい値（所定輝度）を設定したもので、所定温度未満の場合には屋内の被写体と検出し、所定温度以上の場合には屋外の被写体と検出する。屋内で撮影する場合には一般的に、４５００°Ｋ〜５５００°Ｋの範囲であり、屋外で撮影する場合には一般的に５５００°Ｋ以上であるので、比較器４２の前記しきい値は５５００°Ｋに設定されている。なお、このしきい値は、任意に設定することができる。
【００２８】
前記可変焦点レンズ装置によれば、電源スイッチ２８をＯＮすると、その直後に色温度センサ５０が駆動され、色温度センサ５０から被写体の色温度を示す信号が比較器４２に出力される。そして、ＣＰＵ３２は、比較器４２から出力されているＨ信号、又はＬ信号を取り込み、この信号に対応した焦点距離位置（初期位置Ａ）に、変倍モータ２４を制御して鏡筒１４を位置させる。比較器４２からＨ信号が出力されていると、即ち被写体の色温度が５５００°Ｋ以下であると、ＣＰＵ３２は、屋内の被写体であると検出して、可変焦点レンズ１２の初期位置をワイド側（４０ｍｍの位置）に位置させる。また、比較器４２からＬ信号が出力されていると、即ち被写体の色温度が５５００°Ｋ超であると、ＣＰＵ３２は、屋外の被写体であると検出して、可変焦点レンズ１２の初期位置をテレ端（８０ｍｍの位置）に位置させる。
【００２９】
これにより、本実施の形態は、屋内の被写体、及び屋外の被写体を最適な焦点距離で迅速に撮影することができる。
図５は、色温度センサ５０の構造図である。同図に示すように色温度センサ５０は、可変焦点レンズ１２の向いている被写界から入射光５２を受け、これに応動して光起電流が変化する色温度検出素子５４を有している。入射光側には、入射光５２の赤（Ｒ）成分を透過する光学フイルタ５６Ｒ、及び青（Ｂ）成分を透過する光学フイルタ５６Ｂが配設されている。色温度検出素子５４のフォトダイオード５４Ｒ、５４Ｂは、入射光５２のＲ成分とＢ成分との比に応じて光起電流に差が生じる。この差を示す信号は、対数変換回路５８に電流信号として出力されたのち、対数変換回路５８によって対数圧縮されて減算回路６０に出力される。減算回路６０では両成分信号ＲとＢとの差をとり、この差を示す信号は増幅器６２で増幅されて前記比較器４２に出力される。
【００３０】
なお、本実施の形態では、輝度、距離、色温度を別々に検出することにより屋内か屋外かを検出するようにしたが、これに限られるものではなく、電源スイッチ２８をＯＮした直後に前記３つを同時に判断し、その結果が例えば輝度＝屋外、距離＝屋内、色温度＝屋外と判断した場合には、検出結果の多い屋外と判断するようにしても良い。
【００３１】
図６は、可変焦点レンズ装置の第４の実施の形態を示すブロック図である。同図に示す可変焦点レンズ装置は、電源スイッチのＯＮ直後に、カメラのＡＥ受光センサであるフォトダイオード７０から出力される光の強さに対応する電気信号に基づいて、５０Ｈｚ又は６０Ｈｚの商用電源によって点灯される蛍光灯のフリッカーによる変動成分が存在するか否かを判断し、存在すると判断した時には屋内であると判断するようにしたものである。
【００３２】
前記電気信号は、測光アンプ７２によって増幅された後、ＢＰＦ（バンドパスフイルタ）７４によって５０Ｈｚ〜６０Ｈｚの周波数成分のみが通過される。図７は、ＢＰＦ７４を通過した波形信号である。この波形信号は、図６に示すハイパスフイルタ７６によって直流成分がカットされて図８に示す波形信号となり、更に、この波形信号は図６に示すシュミット回路７８によって０以上の信号がＣＰＵ８０にＨ信号として出力される。そして、ＣＰＵ８０は、出力されたＨ信号の間隔（Δｔ）を測定し、このΔｔが１６．７ｍｓであれば、６０Ｈｚのフリッカーが存在していると判断し、Δｔが２０ｍｓであれば、５０Ｈｚのフリッカーが存在していると判断し、屋内と判断して、可変焦点レンズを所定の初期位置に移動させる。また、Δｔが１５ｍｓ〜２０ｍｓ範囲以外であれば、フリッカーが存在しないと判断し、屋外と判断して、可変焦点レンズを所定の初期位置に移動させる。なお、図６のブロック図では、ＢＰＦ７４から出力される波形信号を、ＡＥ情報として取得している。
【００３３】
図１０は、可変焦点レンズ装置の第５の実施の形態を示すブロック図であり、図６に示した第４の実施の形態と同一若しくは類似の部材については同一の符号を付して説明する。
図１０に示す可変焦点レンズ装置は、フォトダイオード７０から出力される電気信号を測光アンプ７２によって増幅し、ＢＰＦ７４によって５０Ｈｚ〜６０Ｈｚの周波数成分のみを通過させ、この信号を平滑回路８２で平滑化した後、この平滑した出力電圧と、所定の電圧とをコンパレータ８４で比較するようにしたものである。所定の電圧とは、屋内か屋外かを判断するしきい値である。したがって、前記出力電圧が、所定の電圧よりも大きい場合には、フリッカーが存在すると判断して屋内と判断する。また、出力電圧が、所定の電圧よりも小さい場合には、フリッカーが存在しないと判断して屋外と判断する。
【００３４】
以上説明した実施の形態では、焦点距離が３０〜８０ｍｍで３５ｍｍフイルムを使用するカメラの可変焦点レンズ装置について説明したが、これに限られるものではない。例えば、縦寸法が約１７ミリで横寸法が約３０ミリの画面サイズをもつ新写真フイルムを使用するカメラ、縦寸法が６０ミリで横寸法が４５ミリの画面サイズをもつブローニーフイルムを使用するカメラ等の可変焦点レンズ装置にも適用することができる。
【００３５】
また、焦点距離が２０〜４０ｍｍの可変焦点レンズの場合には、屋内では３５ｍｍ、屋外では４０ｍｍに初期位置を設定し、焦点距離が３５〜１０５ｍｍの可変焦点レンズの場合には、屋内では３５ｍｍ、屋外では５０ｍｍに設定することで最適な初期位置となる。即ち、屋外の初期位置は、屋内のワイド側の位置よりもテレ側に位置すれば良い。
【００３６】
更に、本実施の形態の可変焦点レンズ装置として、２焦点レンズも適用することができる。
【００３７】
【発明の効果】
以上説明したように本発明に係るカメラの可変焦点レンズ装置によれば、電源スイッチが操作されると、検出手段が検出した情報に基づき、検出手段が屋内であると検出した場合には、可変焦点レンズの初期位置をワイド側に位置させ、また、検出手段が屋外であると検出した場合には、可変焦点レンズの初期位置を前記屋内のワイド側の位置よりもテレ側に位置させるようにしたので、カメラの電源スイッチをＯＮした直後に、被写体を最適な焦点距離で迅速に撮影することができる。
【図面の簡単な説明】
【図１】本発明に係るカメラの可変焦点レンズ装置が適用されたカメラの一部破断を含む側面図
【図２】ＡＦ装置で検出した可変焦点レンズ装置の駆動制御系を示すブロック図
【図３】ＡＥ装置で検出した可変焦点レンズ装置の駆動制御系を示すブロック図
【図４】色温度センサで検出した可変焦点レンズ装置の駆動制御系を示すブロック図
【図５】色温度センサの構造図
【図６】ＡＦ装置で検出した可変焦点レンズ装置の駆動制御系を示すブロック図
【図７】図６の駆動制御系のバンドパスフイルタから出力された波形信号を示す説明図
【図８】図６の駆動制御系のハイパスフイルタから出力された波形信号を示す説明図
【図９】図６の駆動制御系のシュミット回路から出力された波形信号を示す説明図
【図１０】ＡＦ装置で検出した可変焦点レンズ装置の駆動制御系を示すブロック図
【図１１】従来の可変焦点レンズ装置が適用されたカメラの斜視図
【符号の説明】
１０…カメラ
１２…可変焦点レンズ
２４…変倍モータ
２８…電源スイッチ
３０…変倍スイッチ
３２…ＣＰＵ
３６…タイマ回路
４０…ＡＦ装置
４２…比較器
４８…ＡＥ装置
５０…色温度センサ
【図１】
0003744637.tif 000002
【図２】
0003744637.tif 000003
【図３】
0003744637.tif 000004
【図４】
0003744637.tif 000005
【図５】
0003744637.tif 000006
【図６】
0003744637.tif 000007
【図７】
0003744637.tif 000008
【図８】
0003744637.tif 000009
【図９】
0003744637.tif 000010
【図１０】
0003744637.tif 000011
【図１１】
0003744637.tif 000012